(57)【要約】【課題】定型文章中に遺族、親族等にしか知り得ない具体的情報としてエピソード部を挿入することにより遺族、親族等から故人への親愛の情が伝えられる故人ひとりひとりにオリジナルな追悼文を迅速に作成することを課題とする。【解決手段】生誕から成長までの記述部とエピソード部からなる第一記述欄と、家庭に関する記述部とエピーソード部からなる第二記述欄と、晩年に関する記述部とエピソード部からなる第三記述欄からなる追悼文の作成システムであって、記憶装置８には上記生誕から成長までの記述部を構成する文章、家庭に関する記述部を構成する文章、晩年に関する記述部を構成する文章を格納し、一方入力装置９には上記各記述部の基本情報とエピソード部の記述内容を入力するとともに、記憶装置からは入力装置に入力された基本情報に応じて格納された文章を引き出して上記各記述欄を作成するようにした追悼文作成システム。【選択図】  図２
2006079242.tif 000002
【特許請求の範囲】
【請求項１】
生誕から成長までの記述部とエピソード部からなる第一記述欄と、家庭に関する記述部とエピーソード部からなる第二記述欄と、晩年に関する記述部とエピソード部からなる第三記述欄からなる追悼文の作成システムであって、記憶装置には上記生誕から成長までの記述部を構成する文章、家庭に関する記述部を構成する文章、晩年に関する記述部を構成する文章を格納し、一方入力装置には上記各記述部の基本情報とエピソード部の記述内容を入力するとともに、記憶装置からは入力装置に入力された基本情報に応じて格納された文章を引き出して上記各記述欄を作成するようにしたことを特徴とする追悼文作成システム。
【請求項２】
記憶装置に生誕から成長までの記述部を構成する文章が故人の生誕年別に格納される請求項１記載の追悼文作成システム。
【請求項３】
生誕から成長までの記述部の関連事項に記載された故人の生誕年から記憶装置に格納された生誕から成長までの記述部を構成する文章を引き出す請求項２記載の追悼文作成システム。
【請求項４】
記憶装置に家庭に関する記述部を構成する文章が既婚、未婚の別に格納された請求項１記載の追悼文作成システム。
【請求項５】
家庭に関する記述部の関連事項に記載された既婚或いは未婚から記憶装置に格納された家庭に関する記述部を構成する文章を引き出す請求項４記載の追悼文作成システム。
【発明の詳細な説明】
【技術分野】
【０００１】
この発明は、主に家族等の親族から故人への追悼文作成システムに関するものである。
【背景技術】
【０００２】
友人から故人への追悼メッセージ乃至追悼文に関する特許としては、特開2002-92199、特開2003-265303等が提案されている。
【０００３】
一方、家族等の親族から故人への追悼文を作成して葬儀参列者に配布したり、或いは祭壇に供えたりすることも行われている。
【特許文献１】特開2002-92199、特開2003-265303
【発明の開示】
【発明が解決しようとする課題】
【０００４】
しかし、葬儀の慌ただしい中にこれらの追悼文を作成に労力を割くことは極めて困難である。
【０００５】
また、定型的な追悼文を使用したのでは、家族等の親族から故人への親愛の情が伝わりにくいという欠点がある。
【０００６】
そこで、この発明は葬儀の慌ただしい中で迅速に追悼文を作成できるシステムを提供することを目的とする。
【０００７】
更に、家族等の親族から故人への親愛の情が伝わるような追悼文の作成システムを提供することを目的とする。
【課題を解決するための手段】
【０００８】
この発明は、上記実情に鑑み、生誕から成長までの記述部とエピソード部からなる第一記述欄と、家庭に関する記述部とエピーソード部からなる第二記述欄と、晩年に関する記述部とエピソード部からなる第三記述欄からなる追悼文の作成システムであって、記憶装置には上記生誕から成長までの記述部を構成する文章、家庭に関する記述部を構成する文章、晩年に関する記述部を構成する文章を格納し、一方入力装置には上記各記述部の基本情報とエピソード部の記述内容を入力するとともに、記憶装置からは入力装置に入力された基本情報に応じて格納された文章を引き出して上記各記述欄を作成するようにした追悼文作成システムを提案するものである。
【０００９】
記憶装置に格納される生誕から成長までの記述部を構成する文章は、例えば生誕年の出来事に関する文章、青春期の世相の文章、２０代、３０代の社会に関する文章から構成され、これらの文章は故人の生誕年により内容が異なるので、生誕年別に文章が格納されている。
【００１０】
家庭に関する記述部を構成する文章は既婚の場合と未婚の場合で内容が異なるので、既婚、未婚別に文章が記憶装置に格納されている。
【００１１】
既婚の場合は例えば結婚の文章、子供の文章、仕事、家庭の文章から構成され、未婚若しくは判らない場合には生き方の文章、活動の文章、生活の文章から構成される。
【００１２】
晩年に関する記述部は例えば、序文、最期の時に関する文章、人生の総括に関する文章、故人の尊さに関する文章、締めの文章から構成され、これらの文章が記憶装置に格納されている。
【００１３】
一方、入力装置には主に生誕から成長までの記述部の関連事項として生年月日の他に、故人の氏名、生誕地、父親の名前、母親の名前、兄弟関係、最終学歴、主な職業などが入力され、エピソード部の記述内容が入力される。
【００１４】
また、入力装置には家庭に関する記述部の関連事項として既婚、未婚の別の他に、結婚年、配偶者の名前、子供の名前などが入力され、エピソード部の記述内容が入力される。
【００１５】
更に、入力装置には没年月日、年齢など晩年に関する記述部の関連事項が入力され、エピソード部の記述内容が入力される。
【００１６】
そして、第一記述欄の作成に際しては、生誕から成長までの記述部の関連事項、例えば生誕年に基づいて記憶装置から引き出された文章と、生誕から成長までの記述部の関連事項の記述内容から記述部が形成され、更にこれにエピソード部の記述内容を加えて第一記述欄を作成する。
【００１７】
また、第二記述欄の作成に際しては、家庭に関する記述部の関連事項、既婚、未婚の別に基づいて記憶装置から引き出された文章と、家庭に関する記述部の関連事項の記述内容とから記述部が形成され、更にこれにエピソード部の記述内容を加えて第二記述欄を作成する。
【００１８】
更に、第三記述欄の作成に際しては、記憶装置から引き出された文章と、晩年に関する記述部の関連事項の記述内容とから記述部が形成され、更にこれにエピソード部の記述内容を加えて第三記述欄を作成する。
【発明の効果】
【００１９】
即ち、この発明によれば定型文章中に遺族、親族等にしか知り得ない具体的情報としてエピソード部を挿入することにより遺族、親族等から故人への親愛の情が伝えられる故人ひとりひとりにオリジナルな追悼文が作成できる。
【００２０】
更に、この発明では、記憶装置には生誕から成長までの記述部を構成する文章、家庭に関する記述部を構成する文章、晩年に関する記述部を構成する文章が多数格納され、入力装置に最初に入力された基本情報の内容に応じて故人ひとりひとりに合った文章が選択されて引き出されるため、迅速に追悼文を作成することができる。
【発明を実施するための最良の形態】
【００２１】
生誕から成長までの記述部とエピソード部からなる第一記述欄と、家庭に関する記述部とエピーソード部からなる第二記述欄と、晩年に関する記述部とエピソード部からなる第三記述欄からなる追悼文の作成システムであって、記憶装置には上記生誕から成長までの記述部を構成する文章、家庭に関する記述部を構成する文章、晩年に関する記述部を構成する文章を格納し、一方入力装置には上記各記述部の基本情報とエピソード部の記述内容を入力するとともに、記憶装置からは入力装置に入力された基本情報に応じて格納された文章を引き出して上記各記述欄を作成するようにした追悼文の作成システム。
【実施例１】
【００２２】
以下、この発明を図示の実施例に基づいて詳細に説明すると、１は追悼文記入シートであり、追悼文記入シート１には例えば故人の名前、生年月日、生誕地、父親の名前、母親の名前、兄弟関係、最終学歴、主な職業などの主に生誕から成長までの記述部作成に関する記述事項の記載欄２、例えば結婚年、配偶者の名前、子供の名前などの家庭に関する記述部作成に関する記述事項の記載欄３、没年月日、年齢など晩年に関する記述部作成に関する記述事項の記載欄４、更に第一エピソードの記載欄５、第二エピソードの記載欄６、第三エピソードの記載欄７が設けられる。
【００２３】
依頼者は追悼文記入シート１に挙げられた記述事項のうち必要な記述事項の記載欄２、３、４に記載し、更に第一エピソードの記載欄５、第二エピソードの記載欄６、第三エピソードの記載欄７にそれぞれエピソードを記載する。
【００２４】
８は記憶装置で、記憶装置８には生誕から成長までの記述部を構成する文章は、例えば生誕年の出来事に関する文章、青春期の世相の文章、２０代、３０代の社会に関する文章から構成され、これらの文章は故人の生誕年により内容が異なるので、生誕年別に文章が格納されている。
【００２５】
また、記憶装置８には家庭に関する記述部を構成する文章が既婚、未婚の別に格納され、更に記憶装置８には晩年に関する記述部作成に関する文章が格納される。
【００２６】
９は入力装置で、10は入力装置９の基本情報入力画面であり、基本情報入力画面10は追悼文記入シート１の記載に従って故人の氏名、生年月日、既婚、未婚の別、没年月日、年齢等が入力される（図２のステップ１）。
【００２７】
11は入力装置９の生誕から成長までの情報入力画面であり、生誕から成長までの情報入力画面11には生誕年の出来事入力部12、青春期の世相入力部13、２０代、３０代の社会に関する入力部14、第一エピソード入力部15があるが、このうち入力部12〜14については基本情報入力画面10に入力された故人の生年月日に基づいて記憶装置８に格納された生誕年の出来事に関する文章、青春期の世相の文章、２０代、３０代の社会に関する文章が引き出されているので、これらの文章から選択し、選択された文章と、基本情報入力画面10に入力された生誕から成長までの記述部の関連事項の記述内容から記述部が形成され、更にこれに第一エピソード入力部15の記述内容を加えて第一記述欄を作成する（図２のステップ２）。
【００２８】
16は入力装置９の既婚の場合の家庭に関する情報入力画面、17は未婚、もしくは判らないの場合の家庭に関する情報入力画面であり、基本情報入力画面10が既婚である場合、未婚もしくは判らない場合により両画面の何れかに切り替えられる。
【００２９】
既婚の場合の家庭に関する情報入力画面16には結婚に関する文章入力部18、子供に関する文章入力部19、仕事、家庭に関する文章入力部20、第二エピソード部21があるが、このうち入力部18〜20については基本情報入力画面10に入力された情報に基づいて記憶装置８から結婚の文章、子供の文章、仕事、家庭の文章が引き出されるので、これらの文章を選択し、選択された文章と、基本情報入力画面10に入力された家庭に関する記述内容から記述部が形成され、更にこれに第二エピソード部21の記述内容を加えて第二記述欄を作成する（図２のステップ３）。
【００３０】
一方、未婚、もしくは判らない場合の家庭に関する情報入力画面17には生き方の文章入力部22、活動の文章入力部23、生活の文章入力部24、第二エピソード部21があるが、このうち入力部22〜24については基本情報入力画面10に入力された情報に基づいて記憶装置８から生き方の文章、活動の文章、生活の文章が引き出されるので、これらの文章を選択し、選択された文章と、基本情報入力画面10に入力された家庭に関する記述内容から記述部が形成され、更にこれに第二エピソード部21の記述内容を加えて第二記述欄を作成する（図２のステップ３）。
【００３１】
25は入力装置９の晩年に関する情報入力画面であり、晩年に関する情報入力画面25には序文入力部26、最期の時の入力部27、人生の総括の入力部28、故人の尊さの入力部29、締めの文章入力部30、第三エピソード入力部31があるが、このうち入力部26〜30については記憶装置８から序文、最期の時に関する文章、人生の総括に関する文章、故人の尊さに関する文章、締めの文章が引き出されるので、これらの文章を選択し、選択された文章と、基本情報入力画面10に入力された晩年に関する記述内容から記述部が形成され、更にこれに第三エピソード部31の記述内容を加えて第三記述欄を作成する（図２のステップ４）。
【００３２】
このように作成された追悼文には最後に背景画面を選択し（図２のステップ５）、校正・完成する（図２のステップ６）。
【００３３】
図８は、このようにして作成された追悼文の一例を示すものであり、ここで32は第一記述欄、33は生誕から成長までの記述部、34が第一エピソード部、35は第二記述欄、36は家庭に関する記述部、37は第二エピソード部、38は第三記述欄、39は晩年に関する記述部、40は第三エピソード部である。
【産業上の利用可能性】
【００３４】
以上要するに、この発明によれば定型文章中に遺族、親族等にしか知り得ない具体的情報としてエピソード部を挿入することにより遺族、親族等から故人への親愛の情が伝えられる故人ひとりひとりにオリジナルな追悼文を迅速に作成できる。
【図面の簡単な説明】
【００３５】
【図１】この発明で使用される追悼文記入シート
【図２】この発明による追悼文作成システムの概略図
【図３】この発明に使用される入力装置の基本情報入力画面
【図４】この発明に使用される入力装置の生誕から成長までの情報入力画面
【図５】この発明に使用される入力装置の既婚の場合の家庭に関する情報入力画面
【図６】この発明に使用される入力装置の未婚の場合の家庭に関する情報入力画面
【図７】この発明に使用される入力装置の晩年に関する情報入力画面
【図８】この発明により作成された追悼文の一例を示す図
【符号の説明】
【００３６】
１は追悼文記入シート
２は生誕から成長までの記述部作成に関する記述事項の記載欄
３は家庭に関する記述部作成に関する記述事項の記載欄
４は晩年に関する記述部作成に関する記述事項の記載欄
５は第一エピソードの記載欄
６は第二エピソードの記載欄
７は第三エピソードの記載欄
８は記憶装置
９は入力装置
32は第一記述欄
33は生誕から成長までの記述部
34が第一エピソード部
35は第二記述欄
36は家庭に関する記述部
37は第二エピソード部
38は第三記述欄
39は晩年に関する記述部
40は第三エピソード部
【図１】
2006079242.tif 000003
【図２】
2006079242.tif 000004
【図３】
2006079242.tif 000005
【図４】
2006079242.tif 000006
【図５】
2006079242.tif 000007
【図６】
2006079242.tif 000008
【図７】
2006079242.tif 000009
【図８】
2006079242.tif 000010